(57)【特許請求の範囲】
【請求項１】
フロント、光学フィルムと防護体を備え、
フロントは、リムを左右に配置し、左右のリムの内端同士をブリッジで連結し、
光学フィルムは、レンズ部を左右に配置し、左右のレンズ部の内端同士をブリッジ部で連結して、二眼形状にし、
防護体は、フロントの左右のリムにそれぞれ連通する周壁の防護壁を後方に突出して設け、左右の防護壁を、それぞれ、後端が着用者の顔面の目の周りに当って接する形状にし、
フロントの後面又は防護体の前面には、二眼形状の光学フィルムを着脱可能に取り付け、光学フィルムの左右のレンズ部で左右のリム又は防護壁を閉鎖し、
フロントと防護体は、連結可能、分離可能にし、
フロントと防護体が前後に連結する使用位置で、フロントと防護体の間に光学フィルムを挟み、光学フィルムの左右のレンズ部を介して左右のリムと左右の防護壁を連通する構成にし、
フロントと防護体が分離した取替位置で、二眼形状の光学フィルムの片面を解放する構成にしていることを特徴とする作業者防護用ゴーグル。
【請求項２】
フロントは、左右の端にそれぞれ連結筒又は連結軸を後方に突出して設け、
防護体は、左右の端にそれぞれ連結軸又は連結筒を前方に突出して設け、
連結軸は、連結筒に差し込むと抜け止めになって連結する構成にし、また、連結軸は、抜け止めを解除すると連結筒から抜出可能になる構成にし、
連結軸を連結筒に差し込むとフロントと防護体が連結し、連結軸と連結筒の抜け止めを解除するとフロントと防護体が分離可能になる構成にしていることを特徴とする請求項１に記載の作業者防護用ゴーグル。
【請求項３】
連結軸は、外側面に突出部を引込み可能、復元可能に設け、
連結筒は、外側壁に受け部と解除部を設け、
連結軸を連結筒に差し込むと、連結軸の外側面の突出部が連結筒の外側壁内面に押されて内方へ引っ込み、掛け孔部に達すると、復元して掛け孔部に嵌り込み、連結軸と連結筒は抜け止めになって連結する構成にし、解除部を押すと、突出部が引っ込んで受け部から抜け出て、抜け止め解除になって連結軸が連結筒から抜出可能になる構成にしていることを特徴とする請求項２に記載の作業者防護用ゴーグル。
【請求項４】
フロントの後面に二眼形状の光学フィルムを着脱可能に取り付けるに当たり、フロントの後面に二眼形状の凹部を設け、二眼形状の凹部の底面に左右のリムを開口し、二眼形状の凹部に二眼形状の光学フィルムを取外可能に嵌め込んでいることを特徴とする請求項１、２又は３に記載の作業者防護用ゴーグル。
【請求項５】
二眼形状の光学フィルムは、ブリッジ部に孔部を設け、
フロントは、二眼形状の凹部の底面の左右のリム開口部の間に突起部を設け、
突起部と孔部は、取外可能に嵌め込んでいることを特徴とする請求項４に記載の作業者防護用ゴーグル。
【請求項６】
光学フィルムは、湾曲可能な透明フィルムにし、防曇加工と反射防止加工を施していることを特徴とする請求項１〜５のいずれかに記載の作業者防護用ゴーグル。
【請求項７】
テンプルを設けていることを特徴とする請求項１〜６のいずれかに記載の作業者防護用ゴーグル。
【請求項８】
テンプルは、吊り下げ用の孔を設けていることを特徴とする請求項７に記載の作業者防護用ゴーグル。
【請求項９】
医療従事者用ゴーグルにしていることを特徴とする請求項１〜８のいずれかに記載の作業者防護用ゴーグル。
【発明の詳細な説明】
【技術分野】
【０００１】
本発明は、医療従事者のような作業者の目を防護するゴーグルに関する。
【背景技術】
【０００２】
医療従事者は、患者の血液や唾液などの体液の飛沫から目を防護するため、ゴーグルを着用する。医療従事者用ゴーグルは、フロントを光学フィルムにしている。光学フィルムは、着用者の顔面を広い範囲で覆う大型にしている。左右のテンプルは、前端同士を横棒の連結部材で連結している。連結部材には、光学フィルムのフロントを取外可能に取り付けている。詳細には、フロントに孔部を、連結部材に突起部を設けている。孔部と突起部の嵌め込み機構でフロントを着脱可能にしている。嵌め込み機構は、多数にしている。フロントは、汚れたり、壊れたりしたときに、取り替える。
【０００３】
特許文献１に開示の作業者用眼鏡は、フロントを合成樹脂成形品にしている。フロントは、左右のリムをブリッジで連結している。左右のリムは、それぞれ、内周面に溝を形成し、溝のブリッジ側を切り欠き、その切欠き部からレンズを出し入れ可能にしている。ブリッジには、左右のレンズを左右のリムに入れた状態に維持するストッパ機構を設けている。汚れたレンズを取り替えるときには、ストッパ機構を解除し、リムから汚れたレンズを取り出し、新しいレンズをリムに入れてストッパ機構を復元する。
【先行技術文献】
【特許文献】
【０００４】
【特許文献１】特開２０１１−１８６２０７号公報
【発明の概要】
【発明が解決しようとする課題】
【０００５】
［課  題］
上記のような医療従事者用ゴーグルは、着用者の顔面とフロントの周縁との間に隙間が形成される。その隙間から患者の体液の飛沫が侵入するおそれがある。また、その隙間を着用者の目から遠ざけるため光学フィルムのフロントを大型にしている。光学フィルムは、高価であるのに、多量に要する。更に、患者は、大型のゴーグルを着用している医療従事者に接すると、違和感ないし不安感を覚える。また、孔部と突起部の嵌め込み機構は、多数であり、フロントの取替に多くの手間が掛かる。
【０００６】
上記のような作業者用眼鏡は、二眼式であり、左右のリムにそれぞれレンズを出し入れする。レンズの取替は、２枚のレンズの着脱であり、多くの手間が掛かる。また、着用者の顔面とリムとの間に隙間が形成される。その隙間から飛沫が侵入するおそれがある。更に、ストッパ機構は、正面に露出し、見る者に非日常性、違和感を与える。
【０００７】
作業者防護用ゴーグルは、次のようなことが望まれる。
（１）内部には、飛沫、花粉や粉塵などの侵入がない。
（２）外観は、違和感ないし不安感を与えない。
（３）高価な光学フィルムは、多量に要しない。
（４）光学フィルムないしレンズの取替には、多くの手間が掛からない。
【０００８】
［着  想］
花粉防護用眼鏡は、フロントの左右のリムにそれぞれ周壁の防護壁を後方に突出して設けている。左右の防護壁は、それぞれ、後端が着用者の顔面の目の周りに当って接する形状にしている。防護壁は、リムと着用者の顔面との間の隙間を閉鎖する。花粉の侵入を防止する。
【０００９】
そこで、作業者防護用ゴーグルは、フロントの左右のリムにそれぞれ連通する周壁の防護壁を備えた防護体を設ける。フロントと防護体は、相対位置を固定せず、前後に連結可能、分離可能にする。両者が前後に連結した位置は、使用位置にする。両者が分離した位置は、取替位置にする。
左右のリムに配置するレンズは、２枚の個別のレンズではなく、１枚の光学フィルムにする。光学フィルムは、レンズ部を左右に配置し、左右のレンズ部の内端同士をブリッジ部で連結する。二眼形状にする。
フロントは、後面に二眼形状の光学フィルムを着脱可能に取り付け、光学フィルムの左右のレンズ部で左右のリムを閉鎖する。又は、防護体は、前面に二眼形状の光学フィルムを着脱可能に取り付け、光学フィルムの左右のレンズ部で左右の防護壁を閉鎖する。
使用位置では、フロントと防護体の間に光学フィルムを挟んで、左右のリムと左右の防護壁を光学フィルムの左右のレンズ部を介して連通する。取替位置では、フロントと防護体を離して、二眼形状の光学フィルムの片面を解放する。
このように構成した作業者防護用ゴーグルは、左右のリムに防護壁があり、飛沫、花粉や粉塵などが侵入しない。また、前部の外観が花粉防護用眼鏡と同様になり、違和感ないし不安感を与えない。光学フィルムは、左右のリムの開口、防護壁の開口の大きさ位で済み、多量に要しない。レンズの取替は、一枚の光学フィルムの着脱で済む。
【００１０】
実施形態では、作業者防護用ゴーグルは、フロントと防護体を前後に連結可能、分離可能にするに当たり、フロントの左右の端にそれぞれ連結筒又は連結軸を後方に突出して設ける。防護体は、左右の端にそれぞれ連結軸又は連結筒を前方に突出して設ける。
連結軸は、連結筒に差し込むと抜け止めになって連結する構成にする。また、連結軸は、抜け止めを解除すると連結筒から抜出可能になる構成にする。更に、連結軸を連結筒に差し込むとフロントと防護体が連結する構成にする。連結軸と連結筒の抜け止めを解除するとフロントと防護体が分離可能になる構成にする。
【００１１】
詳細には、連結軸は、外側面に突出部を引込み可能、復元可能に設ける。連結筒は、外側壁に受け部と解除部を設ける。
使用位置にするときには、連結軸を連結筒に差し込む。すると、連結軸の外側面の突出部が連結筒の外側壁内面に押されて内方へ引っ込み、掛け孔部に達すると、復元して掛け孔部に嵌り込む。連結軸は、連結筒に抜け止めになって連結する。フロントと防護体は、前後に結合され、使用位置になる。
取替位置にするときには、解除部を押す。すると、突出部が引っ込んで受け部から抜け出て、抜け止め解除になる。次に、連結軸を連結筒から抜き出す。フロントと防護体は、前後に離れる。光学フィルム付のフロント又は防護体は、取替作業の行い易い位置、取替位置に移動する。
【００１２】
また、実施形態では、作業者防護用ゴーグルは、フロントの後面に二眼形状の光学フィルムを着脱可能に取り付けるに当たり、フロントの後面に二眼形状の凹部を設ける。二眼形状の凹部は、底面に左右のリムが開口する。二眼形状の凹部には、二眼形状の光学フィルムを取外可能に嵌め込む。好ましくは、更に、二眼形状の光学フィルムは、ブリッジ部に孔部を設ける。フロントは、二眼形状の凹部の底面の左右のリム開口部の間に突起部を設ける。孔部と突起部を取外可能に嵌め込む。孔部と突起部の嵌め込み機構を一か所にする。
【課題を解決するための手段】
【００１３】
１．フロント、光学フィルムと防護体を備え、
フロントは、リムを左右に配置し、左右のリムの内端同士をブリッジで連結し、
光学フィルムは、レンズ部を左右に配置し、左右のレンズ部の内端同士をブリッジ部で連結して、二眼形状にし、
防護体は、フロントの左右のリムにそれぞれ連通する周壁の防護壁を後方に突出して設け、左右の防護壁を、それぞれ、後端が着用者の顔面の目の周りに当って接する形状にし、
フロントの後面又は防護体の前面には、二眼形状の光学フィルムを着脱可能に取り付け、光学フィルムの左右のレンズ部で左右のリム又は防護壁を閉鎖し、
フロントと防護体は、連結可能、分離可能にし、
フロントと防護体が前後に連結する使用位置で、フロントと防護体の間に光学フィルムを挟み、光学フィルムの左右のレンズ部を介して左右のリムと左右の防護壁を連通する構成にし、
フロントと防護体が分離した取替位置で、二眼形状の光学フィルムの片面を解放する構成にしていることを特徴とする作業者防護用ゴーグル。
２．上記１の作業者防護用ゴーグルにおいて、
フロントは、左右の端にそれぞれ連結筒又は連結軸を後方に突出して設け、
防護体は、左右の端にそれぞれ連結軸又は連結筒を前方に突出して設け、
連結軸は、連結筒に差し込むと抜け止めになって連結する構成にし、また、連結軸は、抜け止めを解除すると連結筒から抜出可能になる構成にし、
連結軸を連結筒に差し込むとフロントと防護体が連結し、連結軸と連結筒の抜け止めを解除するとフロントと防護体が分離可能になる構成にしていることを特徴とする。
３．上記２の作業者防護用ゴーグルにおいて、
連結軸は、外側面に突出部を引込み可能、復元可能に設け、
連結筒は、外側壁に受け部と解除部を設け、
連結軸を連結筒に差し込むと、連結軸の外側面の突出部が連結筒の外側壁内面に押されて内方へ引っ込み、掛け孔部に達すると、復元して掛け孔部に嵌り込み、連結軸と連結筒は抜け止めになって連結する構成にし、解除部を押すと、突出部が引っ込んで受け部から抜け出て、抜け止め解除になって連結軸が連結筒から抜出可能になる構成にしていることを特徴とする。
４．上記１、２又は３の作業者防護用ゴーグルにおいて、
フロントの後面に二眼形状の光学フィルムを着脱可能に取り付けるに当たり、フロントの後面に二眼形状の凹部を設け、二眼形状の凹部の底面に左右のリムを開口し、二眼形状の凹部に二眼形状の光学フィルムを取外可能に嵌め込んでいることを特徴とする。
５．上記４の作業者防護用ゴーグルにおいて、
二眼形状の光学フィルムは、ブリッジ部に孔部を設け、
フロントは、二眼形状の凹部の底面の左右のリム開口部の間に突起部を設け、
突起部と孔部は、取外可能に嵌め込んでいることを特徴とする。
６．上記１〜５のいずれかの作業者防護用ゴーグルにおいて、
光学フィルムは、湾曲可能な透明フィルムにし、防曇加工と反射防止加工を施していることを特徴とする。
７．上記１〜６のいずれかの作業者防護用ゴーグルにおいて、
テンプルを設けていることを特徴とする。
８．上記７の作業者防護用ゴーグルにおいて、
テンプルは、吊り下げ用の孔を設けていることを特徴とする。
９．上記１〜８のいずれかの作業者防護用ゴーグルにおいて、
医療従事者用ゴーグルにしていることを特徴とする。
【発明の効果】
【００１４】
作業者防護用ゴーグルは、防護性能、外観、製造原価や光学フィルム取替の点で実用性が高い。特に医療従事者用ゴーグルとして優れている。
【図面の簡単な説明】
【００１５】
【図１】本発明の実施形態における作業者防護用ゴーグルの平面図。
【図２】同作業者防護用ゴーグルの正面図で、テンプルの後部を省略した図。
【図３】図２のＡ−Ａ線端面拡大図。
【図４】図２のＢ−Ｂ線端面拡大図。
【図５】図２のC−C線断面拡大図。
【図６】同作業者防護用ゴーグルの側面図。
【図７】同作業者防護用ゴーグルをフロント、光学フィルムと防護体に分離した状態の平面図。
【図８】同分離状態の正面図で、テンプルの後部を省略した図。
【図９】同分離状態の側面図。
【図１０】図５と同様な断面図で、同分離状態の図。
【発明を実施するための形態】
【００１６】
実施形態の作業者防護用ゴーグルは、医療従事者用ゴーグルにしている。使用時の状態は、図１〜図６に示す。フロント１、光学フィルム２と防護体３に分離した取替時の状態は、図７〜図１０に示す。
【００１７】
フロント１は、リム６を左右に配置し、左右のリム６の内端同士をブリッジ７で連結している。左右のリム６の外端には、それぞれ、連結筒８を後方に突出して設けている。フロント１は、左右対称にしている。左右のリム６、ブリッジ７と左右の連結筒８は、合成樹脂で一体に成形している。
【００１８】
光学フィルム２は、レンズ部１１を左右に配置し、左右のレンズ部１１の内端同士をブリッジ部１２で連結している。左右対称の二眼形状にしている。そして、光学フィルム２は、湾曲可能な透明フィルムにし、防曇加工と反射防止加工を施している。
【００１９】
フロント１は、後面に二眼形状の凹部９を設けている。二眼形状の凹部９は、底面の左右に左右のリム６を開口している。二眼形状の凹部９には、二眼形状の光学フィルム２を取外可能に嵌め込んでいる。二眼形状の光学フィルム２は、左右のレンズ部１１が左右のリム６を閉鎖している。二眼形状の凹部９は、底面の左右のリム開口部の間に突起部１０を設けている。二眼形状の光学フィルム２は、ブリッジ部１２に孔部１３を設けている。孔部１３と突起部１０を取外可能に嵌め込んでいる。孔部１３と突起部１０の嵌め込み機構は、中央位置の一か所にしている。
【００２０】
防護体３は、フロント１の左右のリム６にそれぞれ連通する周壁の防護壁１６を後方に突出して設けている。左右の防護壁１６は、それぞれ、後方への突出長さを周方向に沿って変化させ、後端が着用者の顔面の目の周りに当って接する形状にしている。また、左右の防護壁１６は、内端同士を連結部１７で連結している。左右の防護壁１６の外端には、それぞれ、連結軸１８を前方に突出して設けている。防護体３は、左右対称にしている。左右の防護壁１６、連結部１７と左右の連結軸１８は、合成樹脂で一体に成形している。
【００２１】
フロント１と防護体３は、前後に連結可能、分離可能にしている。両者が前後に連結した位置は、使用位置にしている。両者が分離した位置は、取替位置にしている。
【００２２】
使用位置では、フロント１と防護体３は、光学フィルム２を挟んで前後に連結している。防護体３の左右の防護壁１６と連結部１７は、前面をフロント１の二眼形状の凹部９に取外可能に嵌め込んでいる。防護体３の左右の防護壁１６と連結部１７の前面とフロント１の二眼形状の凹部９の底面との間に、二眼形状の光学フィルム２を挟んでいる。左右の防護壁１６は、光学フィルム２の左右のレンズ部１１を介して左右のリム６に連通している。防護体３の左右の連結軸１８は、フロント１の左右の連結筒８に抜出可能に嵌め込んで連結している。
【００２３】
連結軸１８は、長方形板状の角軸にし、コの字形状、横倒門型形状の孔ないし切込を左右方向に貫通して掛止め片２１を設けている。掛止め片２１は、片持梁のように後方に突出している。そして、先端に横荷重を加えると、弾性変形して撓む構成にしている。掛止め片２１の先端には、掛け突部２２を外方に突出して設けている。掛け突部２２は、内方へ押すと引っ込み、押す力がなくなると復元する。
【００２４】
連結筒８は、角筒にし、外側壁にコの字形状、横倒門型形状の孔を左右方向に貫通して掛外し片２６と掛け孔部２８を設けている。掛外し片２６は、片持梁のように後方に突出している。そして、先端に横荷重を加えると、弾性変形して撓む構成にしている。掛外し片２６の先端には、解除突部２７を外方に突出して設けている。掛外し片２６は、解除突部２７を内方へ押すと内方へ撓み、押す力がなくなると復元する。コの字形状、横倒門型形状の孔は、後部を掛け孔部２８にしている。掛け孔部２８は、掛外し片２６の後側に位置している。
【００２５】
連結筒８を連結軸１８に差し込むと、連結軸１８の外側面に突出した掛け突部２２は、連結筒８の外側壁内面に押されて内方へ引っ込み、掛け孔部２８に達すると、復元して掛け孔部２８に嵌り込む。連結軸１８の掛止め片２１の掛け突部２２が連結筒８の外側壁の掛け孔部２８に掛け止まって、連結軸１８と連結筒８は抜け止めになる。連結軸１８と連結筒８が連結して、フロント１と防護体３が結合される。
【００２６】
連結軸１８を連結筒８から抜き出すときは、解除突部２７を内方へ押す。すると、掛外し片２６が内方へ撓み、掛止め片２１を内方へ押す。掛止め片２１は内方へ撓み、掛け突部２２が内方へ引っ込む。掛け突部２２は、掛け孔部２８から抜け出る。連結軸１８と連結筒８は、抜け止めが解除され、抜出可能、分離可能になる。抜け止め解除状態で連結軸１８を連結筒８から抜き出す。連結軸１８と連結筒８が分離して、フロント１と防護体３が分離する。
【００２７】
作業者防護用ゴーグルに装着した光学フィルム２を取り外す場合、左右の解除突部２７を内方へ押す。すると、左右の掛け突部２２が左右の掛け孔部２８から抜け出し、抜け止めが解除され、左右の連結軸１８が左右の連結筒８から抜出可能になる。次に、左右の連結軸１８を左右の連結筒８から抜き出す。防護体３の左右の防護壁１６と連結部１７は、フロント１の二眼形状の凹部９から取り外す。フロント１と防護体３は、前後に分離する。二眼形状の凹部９に嵌め込まれている光学フィルム２は、後面が解放される。防護体３から分離したフロント１は、使用位置から離れた取替位置で、二眼形状の凹部９から光学フィルム２を取り外す。
【００２８】
作業者防護用ゴーグルに装着中の光学フィルム２を取り替えるときは、フロント１と防護体３を分離する。フロント１は、取替作業の行い易い取替位置に配置する。そこで、二眼形状の凹部９に嵌っている光学フィルム２を取り外し、新しい光学フィルム２を嵌め込む。新しい光学フィルム２を装着したフロント１は、防護体３に結合する。即ち、使用位置に戻す。
【００２９】
防護体２は、左右の連結軸１８の後端に、それぞれ、テンプル３１を蝶番機構で回動可能に取り付けている。左右のテンプル３１は、後端に吊り下げ用の孔３２を設けている。左右の吊り下げ用の孔３２は、それぞれ、左右方向に貫通している。テンプル３１は、合成樹脂で成形している。
作業者防護用ゴーグルは、不使用時には、吊り下げ用の孔３２を保管庫内のフックに掛け、保管庫に吊り下げて保管する。
【００３０】
［変形例］
本発明は、上記の実施形態に限定されない。次のような変形が例示される。
１．上記の実施形態において、作業者防護用ゴーグルは、着用者の耳に掛けるテンプル３１を付けているが、着用者の後頭部を横断するバンドを付ける。
２．上記の実施形態において、テンプル３１は、防護体３に付けているが、フロント１に付ける。
３．上記の実施形態において、フロント１と防護体３を分離可能に結合する機構は、フロント１に連結筒８を、防護体３に連結軸１８を設けているが、連結筒８を防護体３に、連結軸１８をフロント１に設ける。
４．上記の実施形態において、連結軸１８と連結筒８を抜出可能に嵌める連結機構は、掛け突部２３付き掛止め片２２、掛け孔部２８と解除突部２７付き掛外し片２６の構成にしているが、その他の構成にする。
【符号の説明】
【００３１】
１  フロント
２  光学フィルム、二眼形状の光学フィルム
３  防護体
６  フロントのリム
７  フロントのブリッジ
８  フロントの連結筒
９  フロントの二眼形状の凹部
１０  二眼形状の凹部の突起部
１１  光学フィルムのレンズ部
１２  光学フィルムのブリッジ部
１３  ブリッジ部の孔部
１６  防護体の防護壁
１７  防護体の連結部
１８  防護体の連結軸
２１  連結軸の掛止め片
２２  掛止め片の掛け突部
２６  連結筒の掛外し片
２７  掛外し片の解除突部
２８  連結筒の掛け孔部
３１  テンプル
３２  テンプルの吊り下げ用の孔
【図１】
0006393191.tif 000002
【図２】
0006393191.tif 000003
【図３】
0006393191.tif 000004
【図４】
0006393191.tif 000005
【図５】
0006393191.tif 000006
【図６】
0006393191.tif 000007
【図７】
0006393191.tif 000008
【図８】
0006393191.tif 000009
【図９】
0006393191.tif 000010
【図１０】
0006393191.tif 000011